(57)【要約】【課題】  保護カバーの取付け及び取外しを容易にすると共に、簡単な構成によって装着状態の維持を確実に果たす。【解決手段】  本体はヒンジ部２を挟んでその両側に半円筒状のカバー部３，４を形成し、一方のカバー部３に係止部５を設け、他方のカバー部４に係止部５に係合可能である被係止部６を設けてあり、係止部５は被係止部６が挿入可能である係止孔５ａを有すると共に、この係止部の外面から係止孔５ａに達する溝５ｂを形成し、溝は係止部５の中央の位置に配置され、被係止部６は先端に爪部６ａを設けている係止片からなり、爪部が係止部の係止孔の縁部に掛止め可能である。【選択図】        図１
2008095922.tif 000002
【特許請求の範囲】
【請求項１】
ヒンジ部と、このヒンジ部を挟んでその両側に形成してある半円筒状のカバー部と、一方のカバー部に設けてある係止部及び他方のカバー部に設けてあって上記係止部に係合可能である被係止部とを備えており、
上記係止部は上記被係止部が挿入可能である係止孔を有すると共に、この係止部の外面から上記係止孔に達する溝を形成してある
ことを特徴とする配管などの接続部の保護カバー。
【請求項２】
溝は係止部の中央の位置に配置されており、被係止部は先端に爪部を設けている係止片からなり、上記爪部が係止部の係止孔の縁部に掛止め可能であることを特徴とする請求項１記載の配管などの接続部の保護カバー。
【発明の詳細な説明】
【技術分野】
【０００１】
この発明は、給水、給湯などのための配管同士や配管と他の部材（継手など）における接続部の保護カバーに関するものである。
【背景技術】
【０００２】
例えば特開２００３−３３６７８７号公報に記載の保護カバー（以下「従来例１」という。）は、主に、配管と継手との接続部を被うカバー本体と、カバー本体の自由端に設けられる係止機構とにより構成されている（公報第３頁第３欄段落０００８〜第４欄段落０００９参照）。
上記カバー本体は、所定の厚さの円筒体を縦割りにしたような形状の断面半円形状の２個の半円筒体を、その一端側でヒンジ部を介して接合するような形状となっており、このヒンジ部を介して拡開自在である。
上記係止機構は一方の半円筒体の自由端側に、半径方向外方へ突状に突出させて形成した係止爪部と、他方の半円筒体の自由端側に、この部分の厚みをやや厚くして、その内側に、上記係止爪部を嵌め込んで係合するための凹状に形成された係止凹部とからなる。
保護カバーの使用方法は、公報図４に示すように対向する配管間を継手で接続してから、この継手の外側を保護カバーで被せるのであるが、被せる際、保護カバーを拡開して継手の上側から取り付け、そして保護カバー本体を閉じて、係止機構の係止爪部と係止凹部とを嵌め込むことにより、保護カバーを装着固定する。
また特開２００４−１４４２２０号公報に記載の断熱カバー（以下「従来例２」という。）は、断熱カバー押さえを備え、この断熱カバー押さえは折込部を挟んで第１のカバー押さえ部と第２のカバー押さえ部とを有し、第１及び第２のカバー押さえ部の自由端側に互いに離脱可能に結合する係止部と係合部とを設けているものである。係止部はＬ形に形成され、係合部はその先端にフックを形成している。
【特許文献１】特開２００３−３３６７８７号公報
【特許文献２】特開２００４−１４４２２０号公報
【発明の開示】
【発明が解決しようとする課題】
【０００３】
従来例１によれば、係止機構の係止爪部を係止凹部に掛け止めることによって、保護カバー本体を装着するので、いわゆるワンタッチで容易に装着及びその解除をすることができるが、装着解除し易い分だけ半円筒体の装着状態の維持が容易でなく、設置場所によっては上記維持のための固定手段が新たに必要となることが推測される。
従来例２によれば、第１のカバー押さえ部と第２のカバー押さえ部とが折込部を介して折り畳まれた時、係合部はＬ形の係止部内の隙間にスライドさせて止める。したがって、係合部は係止部に係止されると、フックを介してその結合が経時的に維持され、また離脱する方向に第１のカバー押さえ部と第２のカバー押さえ部とが位置ずれしない限り係合は解除されない利点がある。しかしながら、断熱カバーを取り外すには、係合部を強く引っ張ってもフックの存在により容易に離脱できないので、第１のカバー押さえ部又は第２のカバー押さえ部のいずれか一方を横にスライドさせて、係合を解く必要があるので、取り外しをより一層し易くすることが改善点であった。
この発明の目的は、保護カバーの取付け及び取外しを容易にすると共に、簡単な構成によって装着状態の維持を確実に果たし得るようにすることにある。
【課題を解決するための手段】
【０００４】
この発明の第１の特徴は、ヒンジ部と、このヒンジ部を挟んでその両側に形成してある半円筒状のカバー部と、一方のカバー部に設けてある係止部及び他方のカバー部に設けてあって上記係止部に係合可能である被係止部とを備えていることにある。上記係止部は上記被係止部が挿入可能である係止孔を有すると共に、この係止部の外面から上記係止孔に達する溝を形成してある。
この発明の第２の特徴は、上記第１の特徴を備え、溝が係止部の中央の位置に配置されており、被係止部が先端に爪部を設けている係止片からなり、上記爪部が係止部の係止孔の縁部に掛止め可能であることにある。
【発明の効果】
【０００５】
この発明によれば、係止部に係止孔に達する溝を切り込んであるために、係止部と被係止部との係合及び離脱が円滑に行え、保護カバーの取付け及び取外し操作が容易となり、そして簡単な構成によってカバー部の装着状態の維持を確実に果たし得る。
【発明を実施するための最良の形態】
【０００６】
この発明に係る実施の形態について図面を参照して説明する。
図１〜図６に示す配管などの接続部の保護カバー１はプラスチックによって成形されており、保護カバー本体がヒンジ部２と半円筒状のカバー部３，４とからなるものである。
半円筒状のカバー部３，４はヒンジ部２を挟んでその両側に形成されている。半円筒状のカバー部３，４はヒンジ部２を中心として拡開可能であって、自由端側が互いに接触可能である。保護カバー１は使用時（図６）にヒンジ部２を中心としてカバー部３，４を閉じることによって円筒状になり、また不使用時（図１）にヒンジ部２を中心としてカバー部３，４を開放することによってほぼＷ形になるように成形されている。換言すれば、カバー部３，４は閉鎖時には円筒形を形成し、その内部で後述する配管用保護部材１２，１３の端末部１２ａ，１３ａを抱合することができ、開放時にはほぼＷ形になって抱合状態を解除することができる。
【０００７】
保護カバー１において、カバー部３，４の互いに接合する自由端側には、両カバー部を結合するための係止部５と被係止部６を設けてある。係止部５と被係止部６とは互いに係合及びその離脱が自在である。
係止部５は一方のカバー部３側に、被係止部６は他方のカバー部４側にそれぞれ設けてある。係止部５は係止孔５ａ及び溝５ｂを設けてある。係止孔５ａは係止部５内に形成されている。溝５ｂは係止部５の外周面から係止孔５ａに達するように切り込まれている。係止部５は溝５ｂによって弾性変形が容易になっている。被係止部６は先端に爪部６ａを有する突片状に形成されている。
係止部５と被係止部６との係合及び離脱関係について説明する。
被係止部６は係止孔５ａ内に差し込み可能であり、この係止孔から離脱可能である。
このことから、被係止部６は係止孔５ａに差し込まれている状態では爪部６ａが係止孔５ａの縁部に掛止されるために、カバー部３，４は互いに結合され、円筒状になって保護カバー１が使用状態になる。
また被係止部６が係止部５に係止されている状態から離脱するためには、被係止部を係止孔５ａ内から基端部側（図５右端部側）に係止部５のばね力に抗して引っ張ることにより、係止部は溝５ｂの存在によって容易に弾性変形するから、被係止部が係止孔から外れて、カバー部３，４は互いの結合が解除される。
【０００８】
保護カバー１は、図７及び図８に示すように第１及び第２の管体１０，１１を被覆している第１及び第２の配管用保護部材１２，１３の端末部１２ａ，１３ａの対向間を覆うことができる長さを有している。保護カバー１におけるカバー部３，４の側壁３ａ，４ａが第１及び第２の配管用保護部材１２，１３の端末部１２ａ，１３ａの外周面に接している。側壁３ａ，４ａを端末部１２ａ，１３ａの外周面に密着させることにより、雨水などが側壁の内面と端末部１２ａ，１３ａの外周面との間の隙間から浸入して、保護カバー内に浸み込むことを抑制することができる。
【０００９】
図７〜図９に示す配管の接続部１７において、基端部側（図９左端部側）がヒートポンプなどに通じている第１の管体１０と、また基端部側（同図右端部側）が貯留タンクなどに通じている第２の管体１１とは、いずれも外周面が第１及び第２の配管用保護部材１２，１３によって被覆されている。第１及び第２の配管用保護部材１２，１３は、発泡プラスチック部材によって管状に成形されており、第１及び第２の管体１０，１１をほぼ全長に亘って覆っている。第１及び第２の配管用保護部材１２，１３は、第１及び第２の管体１０，１１が給湯管であれば保温パイプとしても機能し、また給水管であれば断熱パイプとしても機能している。
第１及び第２の管体１０，１１の先端部側は第１及び第２の配管用保護部材１２，１３の端末部１２ａ，１３ａの先端面からそれぞれ突出されている。第１及び第２の管体１０，１１の突出された端部１０ａ，１１ａの突合せ端部間はジョイント部材１４によって接続されている。
図９に示すようにジョイント部材１４は内部に筒状の連結部材１５を設けてある。ジョイント部材１４の一端側（図９左端側）の開口部１４ａと連結部材１５の一端外周の間に第１の管体１の端部１０ａが嵌め込まれており、他端側の開口部１４ｂと連結部材の一端外周の間に第２の管体１１の端部１１ａが嵌め込まれており、第１の管体と第２の管体とがジョイント部材を介して一本の通路を形成している。
【００１０】
第１及び第２の配管用保護部材１２，１３の端末部１２ａ，１３ａの対向空間は、図７及び図８に示すように、保護カバー体１６によって保護されている。
保護カバー体１６は端末部１２ａ，１３ａの対向空間を覆うことによって、第１及び第２の管体１０，１１の各端部１０ａ，１１ａが差し込まれているジョイント部材１４の外側を覆い、図示していないテープなどによって固定されている。保護カバー体１６は、図１０及び図１１に示すように第１及び第２の配管用保護部材１２，１３と同一部材を用い、内部に孔１６ａを有する筒状に成形されている。保護カバー体１６は長さ方向に切り込み１６ｂを設けて、この切り込みを中心として外側に開くことができる。
【００１１】
保護カバー１の使用方法について説明する。
予め、図９に示すように第１及び第２の配管用保護部材１２，１３で保護され、端末部１２ａ，１３ａから突出されている第１及び第２の管体１０，１１の各端部１０ａ，１１ａ間をジョイント部材１４によって接続し、接続後に保護カバー体１６を端末部１２ａ，１３ａ間に配置固定して対向空間を覆っておく。
保護カバー１の取付け操作は次のとおりである。
保護カバー体１６によって端末部１２ａ，１３ａ間の対向間が被覆されている状態で、図７に示すように、保護カバー１を第１及び第２の配管用保護部材１２，１３の端末部１２ａ，１３ａの対向間の上方に配置して、ヒンジ部２を中心としてカバー部３，４を端末部１２ａ，１３ａを抱きかかえるようにしながら閉じて行くと、自由端側は徐々に接近し、やがて係止部５と被係止部６とが接触する位置に達した段階で、被係止部を係止孔５ａ内に差し入れ、爪部６ａを通じて係止部に掛け止め、カバー部３，４間を結合する。この結果、図７及び図８に示すように、配管の接続部１７は保護カバー１によって保護される。
保護カバー１の取外し操作は次のとおりである。
被係止部６が係止部５に係止されている図８に示す状態から、カバー部４を図左方に強く引っ張ることによって、係止部５は溝５ｂによって弾性変形され、引っ張り力が係止する力を超えると、被係止部６は係止部５からの係合が離脱されるから、カバー部３，４間の結合が解除される。この結果、保護カバー１を配管の接続部１７から外すことができる。
【００１２】
図示する保護カバー１によれば、係止部５と被係止部６との互いの係合によってカバー部３，４間の装着（結合）の維持を確保することができ、経時的にも配管の接続部１７の保護機能が低下せず、また係止部５には係止孔５ａに達する溝５ｂを設けているので、保護カバーの取外し時では、係止部に負荷が及んだ際に係止部が容易に弾性変形して、結合解除操作がし易い利点がある。また簡単な構成によってカバー部３，４間の結合の維持が確保できると同時に、結合及びその解除操作がし易い。
【００１３】
この発明に係る保護カバーは、図７に示すような直線型の接続部１７に適用されるものに限られず、配管などのＴ型や十字型などの接続部にも使用することができ、例えば図１２に示す保護カバー１Ａは配管などのＴ型接続部に使用するものである。
保護カバー１Ａの特徴は第１の保護カバー本体１ａ１と、これに交差するように形成されている第２の保護カバー本体１ａ２とから構成されているところにある。
保護カバー１Ａの説明上、この保護カバーと前記保護カバー１と共通する構成部分は双方の符号を一致させて対応関係を明確にし、詳細な説明を省略する。
第２の保護カバー本体１ａ２は第１の保護カバー本体１ａ１のカバー部４に連続されている。第１の保護カバー本体１ａ１のカバー部８，９はヒンジ部７を中心として連なり、半円筒状に形成されており、その自由端が互いに接触可能である。カバー部９は第１の保護カバー本体１ａ１のカバー部４と一体に形成されている。カバー部８，９は係止部５及び被係止部６を通じて離脱可能に結合される。
【００１４】
管体（図７では第１及び第２の管体１０，１１）は給湯管や給水管に限られない。また接続部１７における接続対象は図示する配管同士に限られず、配管と継手、配管と継手以外の部材、配管を除くその他部材同士であっても良い。
【図面の簡単な説明】
【００１５】
【図１】この発明に係る配管などの接続部の保護カバーを示す斜視図である。
【図２】この発明に係る配管などの接続部の保護カバーを示す側面図である。
【図３】この発明に係る配管などの接続部の保護カバーを示す平面図である。
【図４】この発明に係る配管などの接続部の保護カバーを示す正面図である。
【図５】この発明に係る配管などの接続部の保護カバーの閉鎖状態を示す平面図である。
【図６】この発明に係る配管などの接続部の保護カバーの閉鎖状態を示す正面図である。
【図７】この発明に係る配管などの接続部の保護カバーの使用状態を示す一部切欠正面図である。
【図８】図７のＶＩＩＩ−ＶＩＩＩ線断面図である。
【図９】この発明に係る配管などの接続部を示す断面図である。
【図１０】この発明に係る配管などの接続部を被覆するために使用する保護カバー体の正面図である。
【図１１】この発明に係る配管などの接続部を被覆するために使用する保護カバー体の側面図である。
【図１２】この発明の他の実施の形態に係る配管などの接続部の保護カバーを縮小して示す平面図である。
【符号の説明】
【００１６】
１，１Ａ                      保護カバー
１ａ１                        第１の保護カバー本体
１ａ２                        第２の保護カバー本体
２                            ヒンジ部
３，４                        カバー部
５                            係止部
５ａ                          係止孔
５ｂ                          溝
６                            被係止部
６ａ                          爪部
７                            ヒンジ部
８                            カバー部
９                            カバー部
１０                          第１の管体
１０ａ                        第１の管体の端部
１１                          第２の管体
１１ａ                        第２の管体の端部
１２                          第１の配管用保護部材
１２ａ                        第１の配管用保護部材の端末部
１３                          第２の配管用保護部材
１３ａ                        第２の配管用保護部材の端末部
１４                          ジョイント部材
１７                          接続部
【図１】
2008095922.tif 000003
【図２】
2008095922.tif 000004
【図３】
2008095922.tif 000005
【図４】
2008095922.tif 000006
【図５】
2008095922.tif 000007
【図６】
2008095922.tif 000008
【図７】
2008095922.tif 000009
【図８】
2008095922.tif 000010
【図９】
2008095922.tif 000011
【図１０】
2008095922.tif 000012
【図１１】
2008095922.tif 000013
【図１２】
2008095922.tif 000014